(57)【要約】【課題】空間部に断熱材を効率良く送り込むことができる断熱材の送込み装置を提供する。【解決手段】空間部３を形成する壁２に設けられた開口４を介して、空間部３に吹込み用断熱材５を送り込む送込み装置１００であって、一端部に吹込み用断熱材５の供給を受ける供給口２１ｃが形成され、他端部に開口４と連通して吹込み用断熱材５が送り込まれる送込部７０が形成された搬送路２０と、搬送路２０の中途部に配置され、吹込み用断熱材５を供給口２１ｃから送込部７０へ搬送するための気流を発生させるブロワー３０と、搬送路２０において、供給口２１ｃと送込部７０との間に形成された乱流生成部４０及び／又は貯溜部５０と、を具備するものとする。【選択図】図１
2017066756.tif 000002
【特許請求の範囲】
【請求項１】
空間部を形成する外郭に設けられた開口を介して、前記空間部に断熱材を送り込む断熱材の送込み装置であって、
一端部に前記断熱材の供給を受ける供給口が形成され、他端部に前記開口と連通して前記断熱材が送り込まれる送込口が形成された搬送路と、
前記搬送路の中途部に配置され、前記断熱材を前記供給口から前記送込口へ搬送するための気流を発生させるブロワーと、
前記搬送路において、前記供給口と前記送込口との間に形成されたバッファスペースと、
を具備する、
断熱材の送込み装置。
【請求項２】
前記バッファスペースは、前記供給口と前記ブロワーとの間の気流を乱すように形成された乱流生成部である、
請求項１に記載の断熱材の送込み装置。
【請求項３】
前記乱流生成部は、一時的に前記気流を滞留させるように形成されている、
請求項２に記載の断熱材の送込み装置。
【請求項４】
前記搬送路は、
前記供給口から前記乱流生成部へ前記断熱材を案内する第一経路と、
前記第一経路から分岐して前記ブロワーへ前記断熱材を案内する第二経路と、
を具備する、
請求項２又は請求項３に記載の断熱材の送込み装置。
【請求項５】
前記バッファスペースは、前記送込口付近に搬送されてきた前記断熱材を貯溜する貯溜部である、
請求項１に記載の断熱材の送込み装置。
【請求項６】
前記貯溜部へ搬送された気流を前記貯溜部の外部へ逃がす空気抜き部を具備する、
請求項５に記載の断熱材の送込み装置。
【請求項７】
前記空気抜き部は、前記貯溜部の一部がメッシュ状に形成されたものである、
請求項６に記載の断熱材の送込み装置。
【発明の詳細な説明】
【技術分野】
【０００１】
本発明は、断熱材の送込み装置の技術に関する。
【背景技術】
【０００２】
従来、断熱材の送込み装置の技術は公知となっている。例えば、特許文献１に記載の如くである。
【０００３】
特許文献１には、建物の壁の内部空間に吹込み用断熱材を送り込むための断熱材送込み装置が記載されている。前記断熱材送込み装置は、吹込み用断熱材を収容する収容器と、ブロワーと、送込みホースと、送込みホースの先端に取り付けられた送込みノズルとを具備している。前記送込みノズルには、吐出口と空気抜き用のパンチング孔とが形成されている。特許文献１に記載の技術において、送込み空気はパンチング孔から排気され、吹込み用断熱材は、送込み空気に連れられて移動してきた吹込み用断熱材により吐出口から押し出され、空間部に送り込まれる。
【先行技術文献】
【特許文献】
【０００４】
【特許文献１】特許第４５８９０７０号公報
【発明の概要】
【発明が解決しようとする課題】
【０００５】
しかしながら、特許文献１に記載の技術においては、空間部に断熱材（吹込み用断熱材）を送り込む効率の点で改善の余地がある。
【０００６】
本発明は以上の如き状況に鑑みてなされたものであり、その解決しようとする課題は、空間部に断熱材を効率良く送り込むことができる断熱材の送込み装置を提供することである。
【課題を解決するための手段】
【０００７】
本発明の解決しようとする課題は以上の如くであり、次にこの課題を解決するための手段を説明する。
【０００８】
即ち、空間部を形成する外郭に設けられた開口を介して、前記空間部に断熱材を送り込む断熱材の送込み装置であって、一端部に前記断熱材の供給を受ける供給口が形成され、他端部に前記開口と連通して前記断熱材が送り込まれる送込口が形成された搬送路と、前記搬送路の中途部に配置され、前記断熱材を前記供給口から前記送込口へ搬送するための気流を発生させるブロワーと、前記搬送路において、前記供給口と前記送込口との間に形成されたバッファスペースと、を具備するものである。
【０００９】
前記バッファスペースは、前記供給口と前記ブロワーとの間の気流を乱すように形成された乱流生成部であってもよい。
このような構成により、ブロワーの吸込口に断熱材が詰まるのを抑制することができる。
【００１０】
前記乱流生成部は、一時的に前記気流を滞留させるように形成されていてもよい。
このような構成により、乱流生成部で気流を滞留させることで供給口とブロワーとの間の気流を乱すことができ、ひいてはブロワーの吸込口に断熱材が詰まるのを抑制することができる。
【００１１】
前記搬送路は、前記供給口から前記乱流生成部へ前記断熱材を案内する第一経路と、前記第一経路から分岐して前記ブロワーへ前記断熱材を案内する第二経路と、を具備することとしてもよい。
このような構成により、乱流生成部に多くの断熱材を案内することができ、ひいてはブロワーの吸込口に断熱材が詰まるのをより抑制することができる。
【００１２】
前記バッファスペースは、前記送込口付近に搬送されてきた前記断熱材を貯溜する貯溜部であってもよい。
このような構成により、断熱材が送込口で詰まるのを防止することができる。
【００１３】
前記貯溜部へ搬送された気流を前記貯溜部の外部へ逃がす空気抜き部を具備することとしてもよい。
このような構成により、気流が開口を介して空間部に送り込まれるのを抑制できるので、当該気流により一旦空間部に収容された断熱材が飛散してしまうのを抑制することができる。
【００１４】
前記空気抜き部は、前記貯溜部の一部がメッシュ状に形成されたものとしてもよい。
このような構成により、貯溜部へ搬送された気流を貯溜部の外部へ効率よく逃がすことができる。
【発明の効果】
【００１５】
空間部に断熱材を効率良く送り込むことができる。
【図面の簡単な説明】
【００１６】
【図１】本発明の一実施形態に係る送込み装置の構成の概略、及び当該送込み装置により空間部に吹込み用断熱材が送り込まれる様子を示す模式図。
【図２】上流側経路及び乱流生成部の構成を示す図。
【図３】貯溜部及び貯溜部の周囲の構成を示す斜視図。
【図４】上流側経路及び乱流生成部の変形例を示す図。
【図５】第二実施形態に係る送込み装置における貯溜部及び貯溜部の周囲の構成を示す斜視図。
【発明を実施するための形態】
【００１７】
以下では、図中の矢印に基づいて、前後方向、左右方向及び上下方向を定義して説明を行う。
【００１８】
まず、図１から図３を用いて、送込み装置１００の構成について説明する。
【００１９】
送込み装置１００は、建物の壁２の内部の空間部３に吹込み用断熱材５を送り込むものである。吹込み用断熱材５は、壁、床、天井等の密閉空間に吹き込むことで施工される断熱材であり、例えばグラスウールが使用される。送込み装置１００は、壁２に設けられた開口４を介して空間部３に吹込み用断熱材５を送り込むように構成される。送込み装置１００は、断熱材収容部１０、搬送路２０、ブロワー３０、乱流生成部４０、貯溜部５０、空気抜き部６０及び送込部７０を具備する。
【００２０】
図１に示す断熱材収容部１０は、吹込み用断熱材５を収容するものである。断熱材収容部１０は、吹込み用断熱材５を収容可能な袋状に形成される。
【００２１】
図１から図３に示す搬送路２０は、断熱材収容部１０に収容された吹込み用断熱材５を搬送する経路である。搬送路２０は、断熱材収容部１０と後述する貯溜部５０とを連通するように形成される。搬送路２０は、上流側経路２１及び下流側経路２２を具備する。
【００２２】
図１及び図２に示す上流側経路２１は、搬送路２０のうち上流側（断熱材収容部１０側）を構成する部分である。上流側経路２１は、断熱材収容部１０と後述するブロワー３０とを連通するように形成される。上流側経路２１は、縦経路２１ａ及び横経路２１ｂを具備する。
【００２３】
縦経路２１ａは、上流側経路２１のうち断熱材収容部１０側を構成する部分である。縦経路２１ａの一端部（上端部）は、断熱材収容部１０と接続される。縦経路２１ａの他端部（下端部）は、下方へ延びるように形成される。縦経路２１ａの上端部には、供給口２１ｃが形成される。供給口２１ｃは、断熱材収容部１０から吹込み用断熱材５の供給を受けるように形成される。
【００２４】
横経路２１ｂは、上流側経路２１のうちブロワー３０側を構成する部分である。横経路２１ｂは、縦経路２１ａから分岐して後方に延びるように形成される。横経路２１ｂの一端部（前端部）は、縦経路２１ａの下端部と接続される。横経路２１ｂの他端部（後端部）は、後述するブロワー３０と接続される。横経路２１ｂは縦経路２１ａと共に、屈曲する屈曲部を有する上流側経路２１を形成する。
【００２５】
図１及び図３に示す下流側経路２２は、搬送路２０のうち下流側（貯溜部５０側）を構成する部分である。下流側経路２２は、後述するブロワー３０と貯溜部５０とを連通するように形成される。下流側経路２２の一端部（下端部）は、後述するブロワー３０と接続される。下流側経路２２の他端部（上端部）は、後述する貯溜部５０と接続される。下流側経路２２は、一端部から他端部まで略上方へ延びるように形成される。下流側経路２２の上端部には、吹出口２２ａが形成される。吹出口２２ａは、下流側経路２２に沿って搬送された吹込み用断熱材５を吹き出すことができるように形成される。
【００２６】
図１に示すブロワー３０は、吹込み用断熱材５を供給口２１ｃから吹出口２２ａへ搬送するための気流を発生させるものである。ブロワー３０は、搬送路２０の中途部（上流側経路２１と下流側経路２２との間）に配置される。ブロワー３０は、その吸込口を上流側経路２１へ向けて、その吐出口を下流側経路２２へ向けて配置される。ブロワー３０は、その吸込口から空気を吸い込むことにより、供給口２１ｃからブロワー３０へ向かう気流を発生させる。ブロワー３０は、その吐出口から空気を吐き出すことにより、ブロワー３０から後述する貯溜部５０へ向かう気流を発生させる。
【００２７】
図１及び図２に示す乱流生成部４０は、ブロワー３０により発生された気流を一時的に滞留させる空間である。乱流生成部４０は、上流側経路２１の中途部（供給口２１ｃとブロワー３０との間）に配置される。乱流生成部４０は、縦経路２１ａの下方に当該縦経路２１ａ（の下端部）と連通するように配置される。つまり、乱流生成部４０は、縦経路２１ａと横経路２１ｂとにより形成された上流側経路２１の屈曲部の例えば下方に形成される。
【００２８】
図１及び図３に示す貯溜部５０は、吹出口２２ａから吹き出された吹込み用断熱材５を貯溜するものである。貯溜部５０は、上方が開放された箱状に形成される。貯溜部５０は、その前部において吹出口２２ａと連通するように形成される。
【００２９】
図１及び図３に示す空気抜き部６０は、貯溜部５０に搬送されてきた気流を貯溜部５０の外部へ逃がす（排気する）ものである。空気抜き部６０は、メッシュ状に形成されたメッシュ材が貯溜部５０の上方（開放部）を覆うように配置されることで形成される。空気抜き部６０を構成するメッシュ材の孔径は、気流を貯溜部５０から外部（大気中）へ逃がすことができ、且つ、吹込み用断熱材５が貯溜部５０から外部へ逃げないようなサイズに形成される。
【００３０】
図１及び図３に示す送込部７０は、貯溜部５０へ搬送された吹込み用断熱材５を空間部３に送り込むものである。送込部７０は、内部を吹込み用断熱材５が流通できるような例えば筒状に形成される。送込部７０の一端部（前端部）は、貯溜部５０の後部と接続される。送込部７０の他端部（後端部）は、壁２の開口４と接続される。送込部７０の前端部は、吹出口２２ａよりも低い位置で貯溜部５０の後部と接続される。送込部７０の前端部は、壁２の開口４よりも高い位置で貯溜部５０の後部と接続される。送込部７０は、前端部から後端部まで斜め下方に延びるように形成される。これにより、送込部７０は、貯溜部５０に貯溜された吹込み用断熱材５を、開口４を介して空間部３に送り込むことができる。
【００３１】
次に、図１から図３を用いて、吹込み用断熱材５が空間部３に送り込まれるまでの流れを説明する。
【００３２】
ブロワー３０が駆動すると、供給口２１ｃから吹出口２２ａへ向かう気流が発生する。当該気流により、断熱材収容部１０に収容された吹込み用断熱材５は、供給口２１ｃを介して上流側経路２１に供給される。図２に示す如く、当該吹込み用断熱材５は、前記気流により、縦経路２１ａに沿って下流側へ搬送される。そして、当該吹込み用断熱材５の一部は、ブロワー３０へ直接的に搬送されず、前記気流と共に乱流生成部４０に一時的に滞留する。
【００３３】
乱流生成部４０内の気流は、当該乱流生成部４０の壁部に衝突すること等により、不規則な方向に進行することとなる（乱される）。これにより、吹込み用断熱材５は、広い範囲に散らばるように細かく分散される。そして、分散された吹込み用断熱材５は、ブロワー３０により発生される気流により、横経路２１ｂに沿って後方へ搬送される。
【００３４】
当該吹込み用断熱材５は、ブロワー３０の吸込口まで搬送される。このとき、当該吹込み用断熱材５は、分散されているため、ブロワー３０の吸込口に詰まり難い状態となっている。よって、スムーズに吹込み用断熱材５をブロワー３０の後方（下流側）へ搬送することができる。
【００３５】
当該吹込み用断熱材５は、ブロワー３０の吸込口から吸い込まれた後、当該ブロワー３０の吐出口から吐き出される。そして、当該吹込み用断熱材５は、下流側経路２２に沿って下流側へ搬送される。当該吹込み用断熱材５は、前記気流と共に貯溜部５０に到達する（図３参照）。
【００３６】
前述の如く、貯溜部５０には下流側経路２２を介して、吹込み用断熱材５と気流とが搬送される。貯溜部５０に搬送された気流は、空気の逃げ場のない壁２の空間部３には入り込み難い。また、空気抜き部６０は、吹出口２２ａと送込部７０との間に位置している。さらに、送込部７０の前端部と吹出口２２ａとは、互いに上下方向の位置をずらして配置されている。このような構成により、送込み装置１００は、気流が空気抜き部６０から排出され易くなるように形成されている。したがって、貯溜部５０に搬送された気流は、貯溜部５０の上部に配置された空気抜き部６０を介して大気中へ排気される。
【００３７】
一方、貯溜部５０に搬送された吹込み用断熱材５は、貯溜部５０に一時的に貯溜される。吹込み用断熱材５の貯溜される量が多くなると、吹込み用断熱材５は送込部７０との接続部（開口部）まで到達する。当該吹込み用断熱材５は、他の吹込み用断熱材５により後方へ押され、送込部７０に沿って後方へ移動する。そして、当該吹込み用断熱材５は、送込部７０の後端から空間部３に進入し、当該空間部３を自由落下する。
【００３８】
このとき、貯溜部５０において気流は空気抜き部６０を介して大気中へ排気されているため、送込部７０には当該気流はほとんど入り込まず、吹込み用断熱材５のみが送り込まれることとなる。したがって、空間部３に入り込んだ気流によって一旦空間部３に収容された吹込み用断熱材５が飛散してしまうのを抑制することができる。
【００３９】
また、貯溜部５０が設けられていることにより、吹出口２２ａから吹き出された吹込み用断熱材５は、当該貯溜部５０に一時的に貯溜され、吹出口２２ａから送込部７０へ直接的に送り込まれるのが防止される。そして、吹込み用断熱材５は、送込部７０を介して自由落下により少しずつ空間部３に送り込まれるので、吹込み用断熱材５が送込部７０で詰まるのを防止することができる。
【００４０】
以上の流れにより、壁２の空間部３に吹込み用断熱材５が充填される。
【００４１】
このように、本実施形態に係る送込み装置１００においては、ブロワー３０の上流側に乱流生成部４０が設けられていることにより、ブロワー３０の吸込口が詰まるのを抑制することができるので、吹込み用断熱材５をスムーズにブロワー３０の下流側に搬送することができる。さらに、気流によってではなく自由落下により吹込み用断熱材５を空間部３に送り込むので、一旦空間部３に収容された吹込み用断熱材５が飛散してしまうのを抑制することができる。これにより、空間部３に吹込み用断熱材５を効率良く送り込むことができる。
【００４２】
以上の如く、本実施形態に係る送込み装置１００は、空間部３を形成する壁２（外郭）に設けられた開口４を介して、前記空間部３に吹込み用断熱材５（断熱材）を送り込む送込み装置１００（断熱材の送込み装置）であって、一端部に前記吹込み用断熱材５の供給を受ける供給口２１ｃが形成され、他端部に前記開口４と連通して前記吹込み用断熱材５が送り込まれる送込部７０（送込口）が形成された搬送路２０と、前記搬送路２０の中途部に配置され、前記吹込み用断熱材５を前記供給口２１ｃから前記送込部７０へ搬送するための気流を発生させるブロワー３０と、前記搬送路２０において、前記供給口２１ｃと前記送込部７０との間に形成されたバッファスペースと、を具備するものである。
このように構成することにより、空間部３に吹込み用断熱材５を効率良く送り込むことができる。
【００４３】
また、前記バッファスペースは、前記供給口２１ｃと前記ブロワー３０との間の気流を乱すように形成された乱流生成部４０であるものである。
このように構成することにより、ブロワー３０の吸込口に吹込み用断熱材５が詰まるのを抑制することができる。
【００４４】
また、前記乱流生成部４０は、一時的に前記気流を滞留させるように形成されたものである。
このように構成することにより、乱流生成部４０で気流を滞留させることで供給口２１ｃとブロワー３０との間の気流を乱すことができ、ひいてはブロワー３０の吸込口に吹込み用断熱材５が詰まるのを抑制することができる。
【００４５】
また、前記搬送路２０は、前記供給口２１ｃから前記乱流生成部４０へ前記吹込み用断熱材５を案内する縦経路２１ａと、前記縦経路２１ａから分岐して前記ブロワー３０へ前記吹込み用断熱材５を案内する横経路２１ｂと、を具備するものである。
このように構成することにより、乱流生成部４０に多くの吹込み用断熱材５を案内することができ、ひいてはブロワー３０の吸込口に吹込み用断熱材５が詰まるのをより抑制することができる。
【００４６】
また、前記バッファスペースは、前記送込部７０付近に搬送されてきた前記吹込み用断熱材５を貯溜する貯溜部５０であるものである。
このように構成することにより、前記吹込み用断熱材５が送込部７０で詰まるのを防止することができる。
【００４７】
また、本実施形態に係る送込み装置１００は、前記貯溜部５０へ搬送された気流を前記貯溜部５０の外部へ逃がす空気抜き部６０を具備するものである。
このように構成することにより、気流が開口４を介して空間部３に送り込まれるのを抑制できるので、当該気流により一旦空間部３に収容された吹込み用断熱材５が飛散してしまうのを抑制することができる。
【００４８】
また、前記空気抜き部６０は、前記貯溜部５０の一部がメッシュ状に形成されたものである。
このように構成することにより、貯溜部５０へ搬送された気流を貯溜部５０の外部へ効率よく逃がすことができる。
【００４９】
なお、本実施形態に係る乱流生成部４０及び貯溜部５０は、バッファスペースの実施の一形態である。
また、本実施形態に係る縦経路２１ａは、第一経路の実施の一形態である。
また、本実施形態に係る横経路２１ｂは、第二経路の実施の一形態である。
また、本実施形態に係る送込部７０は、送込口の実施の一形態である。
【００５０】
以上、本発明の実施形態を説明したが、本発明は上記構成に限定されるものではなく、特許請求の範囲に記載された発明の範囲内で種々の変更が可能である。
【００５１】
例えば、本実施形態においては、上流側経路２１は屈曲する屈曲部を有するように形成されるものとしたが、本発明はこれに限定されるものではない。例えば、上流側経路２１は、直線状に形成されるものであってもよい。
【００５２】
また、本実施形態においては、乱流生成部４０は、上流側経路２１の屈曲部の下方に形成されるものとしたが、本発明はこれに限定されるものではない。例えば図４に示す如く、乱流生成部４０は、直線状に形成された上流側経路２１の中途部が広がるように形成されるものであってもよい。
【００５３】
また、本実施形態においては、乱流生成部４０は、ブロワー３０により発生された気流を一時的に滞留させる空間であるものとしたが、本発明はこれに限定されるものではない。乱流生成部４０は、気流を乱すことができる構造であればよく、例えば、上流側経路２１の内壁がひだ状に形成されることで構成されるものであってもよい。
【００５４】
また、本実施形態においては、バッファスペースとして、ブロワー３０の上流側に乱流生成部４０が配置され、且つブロワー３０の下流側に貯溜部５０が配置されるものとしたが、本発明はこれに限定されるものではない。送込み装置１００においては、バッファスペースとして、乱流生成部４０のみが配置されていてもよく、貯溜部５０のみが配置されていてもよい。
【００５５】
また、本実施形態においては、空気抜き部６０は、貯溜部５０の上方（開放部）を覆うように配置されるものとしたが、空気抜き部６０が配置される位置はこれに限定されるものではなく、例えば、貯溜部５０の全体を覆うように配置されていてもよい。
【００５６】
また、本実施形態においては、空気抜き部６０は、メッシュ状に形成されたメッシュ材により形成されるものとしたが、「メッシュ状」には、板状部材に無数の貫通孔をあけたものも含まれる。また、本実施形態においては、空気抜き部６０は、貯溜部５０と別部材としたが、貯溜部５０に直接、空気孔が形成されることで構成されるものであってもよい。また、空気抜き部６０の孔の形状も特に限定されるものではない。
【００５７】
以下では、図５を用いて、本発明の第二実施形態に係る送込み装置２００について説明する。
【００５８】
第二実施形態に係る送込み装置２００が、第一実施形態に係る送込み装置１００と異なる点は、貯溜部５０、空気抜き部６０及び送込部７０に代えて、それぞれ貯溜部５１、空気抜き部６１及び送込部７１を具備する点である。よって以下では、第二実施形態に係る送込み装置２００のうち第一実施形態に係る送込み装置１００と同一の構成については、同一の符号を付して説明を省略する。
【００５９】
貯溜部５１は、吹出口２２ａから吹き出された吹込み用断熱材５を貯溜するものである。貯溜部５１は、前上部が開口された箱状に形成される。貯溜部５１は、その前下部において吹出口２２ａと連通するように形成される。
【００６０】
空気抜き部６１は、貯溜部５１に搬送されてきた気流を貯溜部５１の外部へ逃がす（排気する）ものである。空気抜き部６１は、メッシュ状に形成されたメッシュ材が貯溜部５１の前上部（開口部）を覆うように配置されることで形成される。空気抜き部６１のメッシュ材の孔径は、気流を貯溜部５１から外部（大気中）へ逃がすことができ、且つ、吹込み用断熱材５が貯溜部５１から外部へ逃げないようなサイズに形成される。
【００６１】
送込部７１は、貯溜部５１へ搬送された吹込み用断熱材５を空間部３に送り込むものである。送込部７１は、内部を吹込み用断熱材５が流通できるような筒状に形成される。送込部７１の一端部は、貯溜部５１の右部と接続される。送込部７１の他端部は、壁２の開口４と接続される。送込部７１の前記一端部は、壁２の開口４よりも高い位置で貯溜部５１の後部と接続される。これにより、送込部７１は、貯溜部５１に貯溜された吹込み用断熱材５を、開口４を介して空間部３に送り込むことができる。
【００６２】
このように構成された送込み装置２００においては、送込部７１が、吹出口２２ａから吹き出される気流の進行方向と異なる位置に配置されているので、当該気流が送込部７１を介して空間部３に送り込まれ難くすることができる。また、空気抜き部６１が、貯溜部５１の前部（吹出口２２ａと同じ面）に配置されているので、貯溜部５１の内部の気流を、送込部７１に到達する前に空気抜き部６１から排気させることができる。
【符号の説明】
【００６３】
２              壁
３              空間部
４              開口
５              吹込み用断熱材
２０            搬送路
２１ａ          縦経路
２１ｂ          横経路
２１ｃ          供給口
２２ａ          吹出口
３０            ブロワー
４０            乱流生成部
５０、５１      貯溜部
６０、６１      空気抜き部
７０、７１      送込部
１００、２００  送込み装置
【図１】
2017066756.tif 000003
【図２】
2017066756.tif 000004
【図３】
2017066756.tif 000005
【図４】
2017066756.tif 000006
【図５】
2017066756.tif 000007